(57)【要約】【課題】居室の温熱環境の改善と気流感の向上を図ること。【解決手段】気流を上下方向に吹き分ける上下羽根と左右に吹き分ける左右羽根を有する空気調和機２１と気流を上下方向に吹き分ける上下羽根と左右に吹き分ける左右羽根を有する気流制御装置２２と運転モードや気流制御の状態などを相互にやりとりする通信手段２６とを備え、空気調和機２１と気流制御装置２２の相互作用により、居室内に循環気流が生成されて暖気と冷気の混合が促進されるので、居室の温熱環境の改善と気流感を向上させることいなる。【選択図】図１ 
2005121316.tif 000002
【特許請求の範囲】
【請求項１】
室内側送風回路から気流を前方に吹き出す吹き出し口と前記吹き出し口からの気流を上下方向に吹き分ける上下羽根と左右に吹き分ける左右羽根を有する空気調和機と、前記空気調和機と別体で送風機と気流を前方に吹き出す吹き出し口と前記吹き出し口からの気流を上下方向に吹き分ける上下羽根と左右に吹き分ける左右羽根を有する気流制御装置と、前記空気調和機及び前記気流制御装置の運転状態などの情報を相互にやりとりする通信手段を具備し、前記空気調和器と前記気流制御装置を連動制御することにより、居室内に循環気流を生成することを特徴とする空気調和装置。
【請求項２】
空気調和機において、送風回路の吸い込み口を前記空気調和機の吹き出し口より上方に配したことを特徴する請求項１記載の空気調和装置。
【請求項３】
気流制御装置において送風回路の吸い込み口を前記気流制御装置の吹き出し口より下方に配したことを特徴とする請求項１記載の空気調和装置。
【請求項４】
空気調和機と気流制御装置の運転状態などの情報を相互にやりとりするための通信手段として、無線通信を用いたことを特徴とする請求項１記載の空気調和装置。
【請求項５】
空気調和機と気流制御装置の運転状態などの情報を相互にやりとりするための通信手段として、電灯線通信を用いたことを特徴とする請求項１記載の空気調和装置。
【請求項６】
空気調和機及び気流制御装置に人体検出センサを具備したことを特徴とする請求項１記載の空気調和装置。
【請求項７】
空気調和機及び気流制御装置に方位センサを具備したことを特徴とする請求項１記載の空気調和装置。
【請求項８】
気流制御装置の吹き出し口にマイナスイオン発生器を配したことを特徴とする請求項３記載の空気調和装置。
【請求項９】
気流制御装置の吸い込み口に集塵機能を有する電気式空気清浄機あるいは集塵フィルターを配設したことを特徴とする請求項３記載の空気調和装置。
【請求項１０】
気流制御装置の吸い込み口に脱臭装置を配設したことを特徴とする請求項３記載の空気調和装置。
【請求項１１】
気流制御装置の吹き出し口に香り発生器を配設したことを特徴とする請求項３記載の空気調和装置。
【請求項１２】
気流制御装置の吹き出し口に加湿器を配したことを特徴とする請求項３記載の空気調和装置。
【請求項１３】
加湿器において、加湿に用いる水を電気分解する手段を具備し、ＯＨ−あるいは、Ｈ＋を多く含む水を生成・霧化して、気流制御装置の吹き出し口より居室内に放散したことを特徴とする請求項１２記載の空気調和装置。
【請求項１４】
気流制御装置の吸い込み口に除菌機能を有する電気式除菌機を配設したことを特徴とする請求項３記載の空気調和装置。
【発明の詳細な説明】
【技術分野】
【０００１】
本発明は、室内の冷房、暖房及び空気質創成を行う空気調和装置に関するものである。
【背景技術】
【０００２】
従来、この種の空気調和装置は、複数の独立した空気流路を具備する室内側送風ユニットであって、第１の空気流路は第１筐体内部に少なくとも熱交換器と送風機と、前面に吹き出す吹き出し口を具備し、他の空気流路は他の筐体内部に少なくとも送風機と、第１の空気流路の吹き出し口の水平方向に隣接して吹き出し口を具備している（例えば、特許文献１参照）。図１７は、特許文献１に記載された従来の空気調和機を示すものである。図１７に示すように、空気調和機本体１は、本体１中央内部の空気流路９ｃと本体１の両側面の空気流路９ｄおよび９ｅからなる。空気流路９ｄと空気流路９ｅは、空気調和機本体の長手方向中央垂直断面からみて対称形となっている。
【特許文献１】特開２００２−２２１９８号公報
【発明の開示】
【発明が解決しようとする課題】
【０００３】
しかしながら、前記従来の構成では、複数の独立した空気流路を具備する室内側送風ユニットの吹き出し口６ｃ，６ｄは本体１の高さ方向に同位置に配されており、本体１中央内部の熱交換器によって、冷やされた、あるいは暖められた主流と筐体側面の吹き出し口からの気流の混合は、２つの気流の境界のみでしか発生しない。したがって、暖房時には空気調和機からの吹き出された暖かい気流は、周囲の空気より軽く、天井方向に吹き上がるとともに、居室を循環してくる間に室温と混合し、温度が低くなった気流が人にあたることになり、体感として寒さを感じるという課題を有する。また、冷房時には、熱輻射の大きい天井面が冷却されにくいという課題や、冷たい空気が居室の床面付近を循環するため、足元が冷えて不快であるという課題も有していた。
【０００４】
本発明は、前記従来の課題を解決するもので、空気調和機と空気調和機と別体の気流制御装置により居室の空気の流れを制御することにより、居室の温熱環境の改善と気流感の向上を図ることを目的とする。
【課題を解決するための手段】
【０００５】
前記従来の課題を解決するために、本発明の空気調和装置は、室内側送風回路から気流を前方に吹き出す吹き出し口と前記吹き出し口からの気流を上下方向に吹き分ける上下羽根と左右に吹き分ける左右羽根を有する空気調和機と、空気調和機と別体で送風機と気流を前方に吹き出す吹き出し口と前記吹き出し口からの気流を上下方向に吹き分ける上下羽根と左右に吹き分ける左右羽根を有する気流制御装置から構成され、ネットワークを介して、空気調和機と気流制御装置を連動制御することによって、居室内の循環気流を生成したり、暖気・冷気の混合を促進して居室の温熱環境の改善と気流感の向上を図るものである。
【０００６】
これによって、例えば、暖房時に空気調和機の吹き出し口から吹き上がった暖かい気流に対し、気流制御装置が吸い上げた床面付近の冷たい空気は、天井付近に吹き出されるため、天井付近の暖かい空気を押し下げるとともに、空気調和機との相互作用により、居室内に循環気流を生成し、暖かい気流を床面付近に循環させることによって、足元が暖かく、天井方向に室温が低くなる、いわゆる頭寒足熱の居室温熱環境が創出することができる。また、冷房時には、床面に停留した冷気を気流制御装置が天井方向に吸い上げて、吹き出すことにより、熱輻射の大きい天井面を冷却したり、循環気流により居室内の温度を均
一化することにより、過ごしやすい居室の温熱環境が創出することができる。
【０００７】
また、本発明の空気調和装置の空気調和機と気流制御装置に、人体検出センサを具備することにより、居室内の人に対して、気流の吹き分けを行うものである。これによって、暖房立ち上げやディアイス時のコールドドラフト、冷房時に居室にいる人に直接冷風をあてないように、気流制御を行うことができる。
【０００８】
さらに、本発明の気流制御装置にマイナスイオンなどの空気質コントロール手段を設けたものである。これによって、空気質コントロール手段から発生したマイナスイオンなどの空気質改善物質を居室の隅々まで運び、快適な居室空気質環境を創ることができる。
【０００９】
加えて、本発明の気流制御装置に電気式空気清浄機を設けたものである。これによって、居室内のホコリを効率的に気流制御装置が集塵・除去することができ、快適で清潔な居室内の空気質環境を創ることができる。
【発明の効果】
【００１０】
本発明の空気調和装置は、空気調和機と気流制御装置の連動制御することにより、居室内に循環気流を生成し、暖気と冷気の混合を促進することによって、居室の温熱環境の改善と気流感を向上させることができる。また、気流換気装置に搭載されたマイナスイオン発生器や電気式空気清浄機などによって、居室内の空気質の改善を行ない、快適な居室空間を創り出すことができる。
【発明を実施するための最良の形態】
【００１１】
第１の発明は、空気調和機と、空気調和機と別体の気流制御装置において、空気調和機及び気流制御装置を連動制御することにより、居室空間に循環気流を生成して、居室の温熱環境の改善と気流感の向上を図ることができる。
【００１２】
第２の発明は、空気調和機の送風回路の吸い込み口を、吹き出し口より上方に配することにより、気流制御装置の吹き出し口から天井付近を流れてくる気流を乱すことなく空気調和機の送風回路に取り込め、天井付近に気流の流れが生成できる。
【００１３】
第３の発明は、気流制御装置の送風回路の吸い込み口を、吹き出し口より下方に配することにより、床面付近から天井方向に引き上げる気流を生成することができる。また、気流制御装置から吸い込み口より上方に配された吹き出し口からの気流は、天井に近く、天井付近を流れる気流を生成することができる。
【００１４】
第４の発明は、空気調和機と気流制御装置の運転状態などの情報を相互にやりとりするための通信手段として、無線通信を用いることにより、空気調和機と気流制御装置間の通信専用線が不要となり、空気調和装置の施工を簡易化することができる。
【００１５】
第５の発明は、空気調和機と気流制御装置の運転状態などの情報を相互にやりとりするための通信手段として、電灯線通信を用いることにより、空気調和機と気流制御装置間の通信専用線が不要となり、第４の発明と同じく空気調和装置の施工を簡易化することができる。
【００１６】
第６の発明は、空気調和機と気流制御装置に人体検出センサを具備することにより、空気調和機と気流制御装置は、居室内の人体の有無や人体の位置を検出することが可能となり、居室内の人に対する気流制御を行うことができる。
【００１７】
第７の発明は、空気調和機と気流制御装置に方位センサを具備することにより、空気調
和機と気流制御装置の相対的位置関係を検出することが可能となり、居室の形態に応じた循環気流を生成することができる。
【００１８】
第８の発明は、気流制御装置の吹き出し口にマイナスイオン発生器を配することにより、居室の隅々までマイナスイオンを運ぶことができる。
【００１９】
第９の発明は、気流制御装置の吸い込み口に集塵機能を有する電気空気清浄機あるいはフィルターを配することにより、居室の循環気流に乗って、舞い上がってきた塵埃を気流制御装置の吸い込み口で効率的に除去することができる。
【００２０】
第１０の発明は、気流制御装置の吸い込み口に脱臭装置を配することにより、居室の循環気流に含まれた臭気を気流制御装置の吸い込み口で除去することができる。
【００２１】
第１１の発明は、気流制御装置の吹き出し口に香り発生器を配することにより、香りの成分を居室の隅々まで拡散させることができる。
【００２２】
第１２の発明は、気流制御装置の吹き出し口に加湿器を配することにより、居室全体を均一に加湿することができる。
【００２３】
第１３の発明は、第１２の発明の加湿器において、加湿に用いる水を電気分解して、ＯＨ−やＨ＋を多く含む水を生成・霧化し、ＯＨ−やＨ＋を含む水分を居室の隅々まで運ぶことができる。
【００２４】
第１４の発明は、気流制御装置の吸い込み口に除菌機能を有する電気式除菌機を配することにより、カビやウィルスなどを気流制御装置の吸い込み口で効率的に不活化あるいは、除菌することができる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における空気調和装置を居室に設置した状態を示す模式図である。
【００２７】
図１において、２１は、室内側送風回路から気流を前方に吹き出す吹き出し口と前記吹き出し口からの気流を上下方向に吹き分ける上下羽根と左右に吹き分ける左右羽根を有する空気調和機であり、２２は、空気調和機と別体で送風機と気流を前方に吹き出す吹き出し口と前記吹き出し口からの気流を上下方向に吹き分ける上下羽根と左右に吹き分ける左右羽根を有する気流制御装置である。空気調和機２１及び気流制御装置２２は、運転モードや気流制御の状態などを相互にやりとりする通信手段２６を具備しており、通信専用線を媒体にネットワーク２７で結合され、居室内に循環気流２４を生成する空気調和装置２０を構成している。
【００２８】
以上のように構成された空気調和装置について、以下その動作、作用を説明する。
【００２９】
まず、空気調和機２１を暖房運転で作動させた場合について、説明する。
【００３０】
図１８に示すように、空気調和機２１から吹き出される暖かい空気は、空気調和機２１の上下羽根２３によって、深い角度で床面に向かって放出される。しかしながら、空気調和機２１から吹き出された空気２４は、その周りの空気より暖かく、軽いため、床面に到
達する前に上昇していき、その結果、天井付近に暖かい空気２８が停留することになる。したがって、居室にいる人２５には、周囲の空気と混合した冷たい気流２９のみがあたり、体感上寒く感じることになる。
【００３１】
これに対し、本発明の実施の形態１による気流制御装置２２は、床面付近の冷たい空気を吸い上げて、上下羽根２３によって天井に向かって吹き出すことにより、天井面ではコアンダ効果が発生し、より遠くへ気流が到達するようになり、距離の離れた空気調和機２１と気流制御装置２２の間で、天井面には、気流制御装置２２から空気調和機２３に向かう気流が生成される。また、図２のように、気流制御装置２２は、床面付近の冷たい空気を天井方向に引き上げ、天井付近に停留する暖かい空気２８の上に冷たい空気を吹き出すことにより、冷たい空気の層３０を形成し、結果として、暖かい空気２８の層が床面方向に降りてくるとともに、暖気と冷気の混合を促進する。これによって、空気調和機２１から吹き出される暖かい空気の流れ２４の上昇も抑制され、居室には、床面近くを這う暖かい空気の流れを生成することができる。
【００３２】
次に、空気調和機２１を冷房運転で作動した場合について説明する。図１９に示すように、空気調和機２１から吹き出された冷たい空気は、空気調和機２１の上下羽根２３によって、浅い角度で水平方向に向かって放出される。しかしながら、空気調和機から吹き出された空気２４は、周囲の空気より冷たく、重いため、急速に下降する。このため、天井付近に暖かい空気２８が停留するとともに、居室にいる人２５には、空気調和機２１からの冷たい吹き出し気流２９が直接あたり、体感上、寒く感じる。
【００３３】
これに対し、図３のように、本発明の実施の形態１による気流制御装置２２は、床面付近の冷たい空気を吸い上げて、上下羽根２３によって水平方向に吹き出すことにより気流制御装置２２から空気調和機２１に向かう気流が生成される。また、床面付近の冷たい空気を天井付近に停留する暖かい空気と混合することになり、熱輻射の大きい天井面を冷却することができる。さらに、空気調和機２１より吹き出される冷たい空気の流れの下に、気流制御装置２２の吹き出すことにより、空気調和機から吹き出された冷気を周囲の暖かい空気と積極的に混合させることができ、居室にいる人２５にコールドドラフトを感じさせない気流をつくることが可能となる。
【００３４】
以上のように、本実施の形態１においては、空気調和機２１及び気流制御装置２２は、ネットワークを介して、相互の運転状態あるいは気流制御の状態などの情報を得ることにより、空気調和機２１と気流制御装置２２の運転／停止の連動制御や居室内気流の連係制御により、居室内に循環気流を効率的に生成することができる。また、空気調和機２１と気流制御装置２２のそれぞれの上下羽根や左右羽根により居室内の気流制御を行うことによって、暖気と冷気の混合する場所も自在に創出でき、居室の温熱環境の改善と気流感を向上させることができる。また、気流制御による冷暖房効率の向上と居室の快適性の向上により、結果的として、空気調和機の温度設定を下げることができ、省エネ空調が実現できる。
【００３５】
また、本実施の形態１の気流制御装置２２のみ用いて、春・秋の多少気温が高い時など、扇風機と同様に涼をとることができるという効果も奏する。
【００３６】
（実施の形態２）
図４は、本発明の第２の実施の形態である空気調和装置の空気調和機２１の断面図である。図４において、３３，３４は、それぞれ空気調和機２１の吸込み口，吹き出し口であり、クロスフローファン３２と熱交換器３１により空気調和機２１の送風回路が構成される。上下羽根２３は、吹き出し口３４から放出される気流の方向制御を行うものである。
【００３７】
以上のように構成された空気調和装置の空気調和機について、以下その動作、作用を説明する。
【００３８】
実施の形態１に記したように、本発明の空気調和装置２０は、空気調和機２１と気流制御装置２２の相互作用により、図２，図３のように居室内に気流２４の循環を生成する。気流制御装置２２から水平方向に吹き出される気流２４は、コアンダ効果により天井面に沿って流れていき、空気調和機２１に到達する。空気調和機２１の吹き出し口３４が吸込み口３３より上方にあると、天井面に沿って流れてきた循環気流に吹き出し気流が衝突することになり、居室内に安定した循環気流を生成できなくなる。
【００３９】
以上のように、本実施の形態２においては、空気調和機２１の送風回路の吸い込み口３３を吹き出し口３４より上方に配することにより、気流制御装置２２との相互作用により、
居室内に安定した循環気流を生成することができる。
【００４０】
（実施の形態３）
図５は、本発明の第３の実施の形態である空気調和装置の気流制御装置２２の断面図である。図５において、３３，３４は、それぞれ気流制御装置２２の吸込み口，吹き出し口であり、クロスフローファン３２より気流制御装置２２の送風回路が構成される。上下羽根２３は、吹き出し口３４から放出される気流の制御を行うものである。
【００４１】
以上のように構成された空気調和装置の気流制御について、以下その動作、作用を説明する。
【００４２】
実施の形態１に記したように、本発明の空気調和装置２０は、空気調和機２１と気流制御装置２２の相互作用により、図２，図３のように居室内に気流２４の循環を生成する。冷房時、暖房時に関わらず、床面方向に停留した空気を天井方向に吸い上げるためには、床面に対向して、気流制御装置２２の送風回路の吸い込み口３３を設けることが必要であり、この構成により床面から天井に向かう気流が生成できる。
【００４３】
以上のように、本実施の形態３においては、気流制御装置２２の送風回路の吸い込み口３３を吹き出し口３４より下方に配することにより、空気調和機２１との相互作用により、
居室内に安定した循環気流を生成することができる。
【００４４】
（実施の形態４）
図６は、本発明の第４の実施の形態における空気調和装置を居室に設置した状態を示す模式図である。
【００４５】
図６において、空気調和機２１と気流制御装置２２に形成された２６は、運転モードあるいは気流制御の状態などの情報を相互にやりとりする通信手段であり、無線電波を媒体としたネットワーク２７で結合され、居室内に循環気流２４を生成する空気調和装置２０を構成している。
【００４６】
以上のように構成された空気調和装置について、以下その動作、作用を説明する。
【００４７】
実施の形態１に記したように、空気調和機及び気流制御装置は、ネットワークを介することにより、相互の運転状態あるいは気流制御の状態などの情報を得ることにより、空気調和機２１と気流制御装置２２の運転／停止の連動制御を行ったり、空気調和機２１と気流制御装置２２の連係制御により、居室内に効率的に循環気流を生成することができる。
【００４８】
また、空気調和機２１と気流制御装置２２のそれぞれの上下羽根や左右羽根により気流の風向制御を行うことによって、暖気と冷気の混合する場所も自在に創出でき、居室の温熱環境の改善と気流感が向上させることができる。前記ネットワークの媒体に無線電波を用いることによって、通信専用線が不要となり、施工レス，配線レスなど据え付け工事の簡易化が図れる。
【００４９】
無線電波に関しては、微弱無線，特定小電力無線，ブルートュースなどの手段に限らない。また、無線電波の代わりに通信手段として、赤外線通信を用いてもよい。
【００５０】
（実施の形態５）
図７は、本発明の第５の実施の形態における空気調和装置を居室に設置した状態を示す図である。
【００５１】
図７において、空気調和機２１と気流制御装置２２に形成された２６は、運転モードあるいは気流制御の状態などの情報を相互にやりとりする通信手段である電灯線モデムである。３５は、電灯線コンセントであり、空気調和機２１と気流制御装置２２の電源供給と通信インターフェースの接続口を兼ねており、電灯線を媒体として、空気調和機２１と気流制御装置２２をネットワーク２７で結合して、居室内に循環気流２４を生成する空気調和装置２０を構成している。
【００５２】
以上のように構成された空気調和装置について、以下その動作、作用を説明する。
【００５３】
実施の形態４に記したように、空気調和機２１及び気流制御装置２２は、ネットワークを介することにより、相互の運転状態あるいは気流制御の状態などの情報を得ることにより、空気調和機２１と気流制御装置２２の運転／停止の連動制御を行ったり、空気調和機２１と気流制御装置２２の連係制御により、居室内に効率的に循環気流を生成することができる。
【００５４】
また、空気調和機２１と気流制御装置２２のそれぞれの上下羽根や左右羽根により気流の風向制御を行うことによって、暖気と冷気の混合する場所も自在に創出でき、居室の温熱環境の改善と気流感が向上させることができる。前記ネットワークの媒体に電灯線通信を用いることによって、通信専用線が不要となり、施工レス，配線レスなど工事の簡易化が図れる。
【００５５】
（実施の形態６）
図８は、本発明の第６の実施の形態における空気調和装置を居室に設置した状態を示す平面図である。
【００５６】
図８において、空気調和機２１と気流制御装置２２は、それぞれ２つの人体検出センサ３６を搭載しており、人体検出センサ３６−１から３６−４は、広角の人体検出エリア３７−１から３７−４を有しており、それぞれの人体検出センサ３６は、人体検出エリア３７に存在する人２５の有無を検出でき、空気調和機２１及び気流制御装置２２に搭載された人体検出センサ３６からの人体検出情報は、空気調和機２１及び気流制御装置２２間のネットワークにより相互にやりとりできる構成となっている。
【００５７】
以上のように構成された空気調和装置について、以下その動作、作用を説明する。
【００５８】
空気調和機２１及び気流制御装置２２で得られた人体検出センサの人体検出情報から、空気調和機２１や気流制御装置２２に対する人体の方向や、人体が遠い（近い）位置に居
るとか判断できる。図８の場合、各人体検出センサ３６−１〜４に対応した人体検出エリア３７−１〜４の組み合わせにより居室内で人２５の位置を１１ヶ所に細分化でき、人体２５は、空気調和機２１からは遠く、気流制御装置２２から比較的近いところで、気流制御装置２２の左方向に存在することがわかる。空気調和機２１及び気流制御装置２２に搭載される人体検出センサ３６の数を増やすことによって、居室内での人の位置を細分化できるとともに居室内の人数をも検出することが可能になる。
【００５９】
これにより、冷房時には、空気調和機２１から吹き出された気流を、直接人にあたらないように、風向制御することができる。同じく、暖房時の立ち上がりやディアイス時にも、冷たい気流を直接人にあたらないように、風向制御することもできる。
【００６０】
また、本実施の形態６では、空気調和機２１と気流制御装置２２に搭載された人体検出センサ３６により、居室内の人体の有無や人数も検出できることから、在室状況に応じて、空気調和機２１の省エネ運転も行うことができるという効果も奏する。
【００６１】
さらに、本実施の形態６では、居室内の人の位置を知ることができるため、例えば、空気調和機２１及び気流制御装置２２の上下羽根及び左右羽根や気流の強さを、１／ｆのゆらぎで駆動して、気流感の変化を感じさせることにより快適性の向上を図ることもできる。
【００６２】
（実施の形態７）
図９は、本発明の第７の実施の形態における空気調和装置を居室に設置した状態を示す平面図である。
【００６３】
図９において、３８は方位センサであり、空気調和機２１及び気流制御装置２２の吹き出し口に配設され、方位センサ３８で得られた空気調和機２１と気流制御装置２２の吹き出し口の方位は、空気調和機２１及び気流制御装置２２に設けられた通信手段により相互にやりとりできる構成となっている。
【００６４】
以上のように構成された空気調和装置について、以下その動作、作用を説明する。
【００６５】
常に、居室に空気調和機２１と気流制御装置２２が対面して設置されるわけではなく、効率的に居室内に循環気流を形成するためには、空気調和機２１と気流制御装置２２の吹き出し口の相対的な位置関係を知る必要がある。これに対し、空気調和機２１及び気流制御装置２２の方位センサで検出された吹き出し口の方位は、ネットワークを介して相互に送られ、空気調和機２１と気流制御装置２２は、それぞれの吹き出し口に対する相対的な方向を求めることができる。図９の場合は、空気調和機２１は、気流制御装置２２に対して、左方向にあることがわかる。
【００６６】
これにより、空気調和機２１と気流制御装置２２は、居室の形態に対して、循環気流を適切に生成するために、上下羽根，左右羽根，風量などを制御することが可能となり、暖気・冷気の混合を促進することもできるようになる。
【００６７】
また、実施の形態６で記した人体検出センサで得られた人体位置との相関をとることにより、空気調和機と気流制御装置の間の距離も概略判定できることになり、居室内に循環気流を形成するために空気調和機及び気流制御装置の吹き出し口からの気流の方向や強さなどを、更に詳細に制御できるという効果を奏する。
【００６８】
（実施の形態８）
図１０は、本発明の第８の実施の形態における空気調和装置の気流制御装置の断面図で
ある。
【００６９】
図１０において、３９はマイナスイオン発生器であり、気流制御装置２２の吹き出し口３４にマイナスイオンを発生する電極が配設され、マイナスイオン発生器の高電圧電源は、気流制御装置に内蔵する構成となっている。
【００７０】
以上のように構成された気流制御装置について、以下その動作、作用を説明する。
【００７１】
気流制御装置２２の吹き出し口３４に配設された電極には、直流の高電圧が印加され、大量のマイナスイオンが吹き出し口３４付近に発生する。マイナスイオンは、血のめぐりを良くしたり、新陳代謝の促進やリラックス効果をもたらす傾向があると言われており、居室を循環する気流にマイナスイオンを乗せることによって、居室の隅々までマイナスイオンが行き渡り、快適な空間が創出できる。また、抗菌効果や脱臭効果を有するプラズマクラスターとか酸素クラスターなどの発生器を搭載し、気流制御装置より放出してもよい。
【００７２】
さらに、空気調和機にもマイナスイオン発生器などを搭載しても問題はなく、気流制御装置とともに居室内に大量のマイナスイオンなどを居室内に発生させることもできる。
【００７３】
（実施の形態９）
図１１は、本発明の第９の実施の形態における空気調和装置の気流制御装置の断面図である。
【００７４】
図１１において、４０は電気式空気清浄器であり、気流制御装置２２の吸込み口３３に配設されている。電気式空気清浄器４０は、直流の高電圧電源と電極及び集塵フィルターで構成となっている。
【００７５】
以上のように構成された気流制御装置について、以下その動作、作用を説明する。
【００７６】
気流制御装置２２の吸込み口３３から侵入してきたホコリは、電気式空気清浄器４０の電極間を通過する時に、負電位に帯電され、負電位に帯電したホコリは、正電位の集塵フィルターに付着する。家庭内のホコリは、例えば、カビの胞子，ダニの糞や死骸など空気調和機２１の気流により舞い上がるほど軽く、空気調和機２１と気流制御装置２２の相互作用により生成された居室を循環する気流に乗ることになる。本実施の形態９では、居室を循環する気流は、気流制御装置２２の吸込み口３３に向かって上昇するものであり、ホコリを含む気流を気流制御装置２２でカビの胞子，ダニの糞や死骸などを集塵・除去することにより、いわゆるきれいな空気を気流制御装置２２の吹き出し口３４から放出することができる。
【００７７】
また、空気調和機に電気式空気清浄器を搭載しても問題はなく、気流制御装置とともに居室内のホコリを取り去ることができて、より快適で清潔な居室空間が創れる。
【００７８】
この他の形態として、ヘパフィルターなどの集塵フィルターを気流制御装置の吸込み口に装着しても同様の効果が得られるが、気流制御装置のみに搭載することで、空気調和機の送風性能の向上が図れ、結果として、より省エネ型の空気調和機が実現できるという効果も奏する。
【００７９】
（実施の形態１０）
図１２は、本発明の第１０の実施の形態における空気調和装置の気流制御装置の断面図である。
【００８０】
図１２において、４１は脱臭フィルターであり、気流制御装置２２の吸込み口３３に配設される構成となっている。
【００８１】
以上のように構成された気流制御装置について、以下その動作、作用を説明する。
【００８２】
気流制御装置２２の吸込み口３３から気流の中の臭気成分は、脱臭フィルター４１を通過時にフィルターに吸着される。近年、壁紙・接着剤などのＶＯＣ，建材などのホルムアルデヒド，タバコ集やアンモニア臭など、それぞれ選択して、除去を行うフィルターも開発されている。居室を循環する気流は、気流制御装置２２の吸込み口３３に向かって上昇するものであり、臭気成分を気流制御装置２２で除去することにより、居室内に拡散した臭いを効率よく除去することができる。
【００８３】
また、空気調和機に脱臭フィルターを搭載しても問題はなく、気流制御装置とともに居室内の臭気成分を取り去ることができるが、気流制御装置のみに搭載することで、空気調和機の送風性能の向上が図れ、結果として、より省エネ型の空気調和機が実現できるという効果も奏する。
【００８４】
（実施の形態１１）
図１３は、本発明の第１１の実施の形態における空気調和装置の気流制御装置の断面図である。
【００８５】
図１３において、４２は植物より抽出された精油の入った容器であり、容器の開口部は気流制御装置の吹き出し口３４に配設され、開閉できる機構となっている。
【００８６】
以上のように構成された気流制御装置について、以下その動作、作用を説明する。
【００８７】
気流制御装置２２の吹き出し口３４に配設された精油の入った容器４２の開口部の蓋が、開くと、揮発性の精油は、蒸発し、空気調和機と気流制御装置により居室を循環する気流に乗って、居室の隅々まで行き渡り、香りにより、人の気持ちを高揚させたり、沈静化させたりする空間が創出できる。
【００８８】
本発明の実施の形態１１では、香り放出制御の手段として、開口部蓋の開け閉めによる気化式を用いたが、ヒータ方式などでも問題はない。
【００８９】
また、ハーブなどから抽出された精油は、香りの成分とともに除菌の効果も有しており、居室を循環する気流により、カビやウィルスの除菌も同時に図れるという効果も得られる。
【００９０】
（実施の形態１２）
図１４は、本発明の第１２の実施の形態における空気調和装置の気流制御装置の断面図である。
【００９１】
図１４において、４０は加湿用の水タンクであり、タンク４０の水は、繊維が束ねられた吸水体の毛細管現象により、気流制御装置２２の吹き出し口３４に到達し、吹き出し口３４の空気の流れにより気化する、いわゆる気化式加湿器を構成している。
【００９２】
以上のように構成された気流制御装置について、以下その動作、作用を説明する。
【００９３】
気流制御装置２２の吹き出し口３４に到達した水は、気流制御装置２２の吹き出し口３
４からの風の流れによって気化され、居室を循環する気流に乗ることによって、加湿空気が居室の隅々まで行き渡り、快適な空間が創出できる。
【００９４】
本発明の実施の形態１２では、加湿の手段として、気化式を用いたが、超音波方式あるいは、ヒータ方式でも問題はない。
【００９５】
一般的に、冬季は、相対湿度が低く、この状態で空気調和機による空調を行うと、空調機からの気流により、皮膚からの水分蒸発が促進されるため、寒く感じるが、本実施例のように加湿により、居室の相対湿度を高めたことによって、皮膚からの水分蒸発が抑制され、寒さを感じることがなくなる。
【００９６】
また、インフルエンザなどのウィルスは、相対湿度が活発になるほど、活性化し、逆に、
ダニ，カビは相対湿度が高いと発生量が増えると言われており、居室の４０〜６０％ＲＨに保つのが適当と言われている。本実施の形態１２の場合、居室を循環する気流により、居室空間をほぼ同じ湿度にすることができる。さらに、空気調和機は、除湿の機能を有していることにより、気流制御装置とのネットワークにより除加湿による湿度のコントロールが可能となる。
【００９７】
また、水分は、臭いの多くの成分を溶解することができ、居室内を循環する水分を多く含む気流は、居室の隅々まで脱臭することができる。
【００９８】
加えて、水タンク内に、銀の錯体あるいは、銅と亜鉛による除菌材を投入することにより、水タンクの水の腐敗を防ぐことができる。
【００９９】
（実施の形態１３）
図１５は、本発明の第１３の実施の形態におけるの気流制御装置の加湿器の断面図である。
【０１００】
図１５において、水タンク４０は、隔膜４３により２つに隔てられており、各々に陽極（プラス極）４５および陰極（マイナス極）４４となる電極を設けている。陽極４５と陰極４４に直流電圧を印加して水に直流電流を流すと、電極の表面において接触している水が電気分解され、陰極側では水酸化イオン（ＯＨ−）、溶存水素（Ｈ２）が多くなり、ｐｈ値がアルカリ性のアルカリイオン水が生成され、陽極側では水素イオン（Ｈ＋）、陰イオンおよび溶存酸素（Ｏ２）等が多くなり、ｐｈ値が酸性の酸性水が生成される。電気分解され、ＯＨ−あるいはＨ＋を含む水は、繊維が束ねられた吸水体の毛細管現象により、気流制御装置の吹き出し口に到達し、吹き出し口を流れる気流によって、気化する構成としている。
【０１０１】
以上のように構成された気流制御装置の加湿器について、以下その動作、作用を説明する。
【０１０２】
気流制御装置２２の吹き出し口に到達したＯＨ−あるいはＨ＋を含む水は、気流制御装置２２の吹き出し口３４からの風の流れによって気化され、空気調和機２１と気流制御装置２２により居室を循環する気流にマイナスイオンを乗せることによって、加湿空気が居室の隅々まで行き渡り、快適な居室空間が創出できる。
【０１０３】
また、ＯＨ−を多く含む水は、お肌に対して潤いをもたらすといわれており、気流制御装置２２から放出されたＯＨ−を多く含む水分は、美肌効果を奏する。また、空気中のＨ＋と結合するときには、空気中に浮遊するカビやウィルスなどを不活化させるという除菌
効果も奏する。また、放出されたＨ＋は、空気中の活性酸素を中和する働きがあり、活性酸素による人体細胞に対する攻撃を緩和することができる。
【０１０４】
本発明の実施の形態１３では、加湿の手段として、気化式を用いたが、超音波方式あるいは、ヒータ方式でも問題はない。
【０１０５】
（実施の形態１４）
図１６は、本発明の第１４の実施の形態における空気調和装置の気流制御装置の断面図である
図１６において、４４は除菌機能を有する電気式除菌機であり、電気式除菌機４４の正・負の電極は、等間隔で、吸込み口の長手方向に数列設けられており、この２つの電極間には、高電圧のパルス電界が周期的に印加される。
【０１０６】
以上のように構成された気流制御装置について、以下その動作、作用を説明する。
【０１０７】
一般的に、２つの電極間に高電圧の交流電界を印加すると、酸化力の非常に高いオゾンが発生することが知られている。また、ウィルスやカビに高電圧のパルス電界を印加すると、ウィルスやカビの細胞を傷つけ、不活化，死滅化させることができることも知られている。
【０１０８】
したがって、気流制御装置２２の吸込み口３３に電気式除菌機４４の電極を配して、気流制御装置２２の吸込み口３３に向かって上昇する居室内のカビやウィルスを多く含む気流を通過させることによって、高電圧パルス電界により除菌することが可能となる。同時に発生するオゾンによって、気流制御装置２２の内部を除菌することもできる。更に、空気調和機と気流制御装置によって生成される居室内に循環する気流にオゾンを乗せることによって、居室内のカビやウィルスも除菌することができる。
【０１０９】
また、空気調和機に電気式除菌機を搭載しても問題はなく、気流制御装置とともに居室内の除菌を行うことができる。
【産業上の利用可能性】
【０１１０】
以上のように、本発明にかかる空気調和装置は、空気調和機と気流制御装置間において居室内の循環気流を生成したり、暖気と冷気の混合を促進することによって、居室の温熱環境の改善と気流感を向上させることが可能となるので、室内の冷房、あるいは、暖房及び空気質創成を行う空気調和装置等の用途にも適用できる。
【図面の簡単な説明】
【０１１１】
【図１】本発明の実施の形態１における空気調和装置を居室に設置した状態を示す模式図
【図２】本発明の実施の形態１における空気調和装置の暖房時における居室内の気流の流れを示す模式図
【図３】本発明の実施の形態１における空気調和装置の冷房時における居室内の気流の流れを示す模式図
【図４】本発明の実施の形態２における空気調和機の断面図
【図５】本発明の実施の形態３における気流制御装置の断面図
【図６】本発明の実施の形態４における空気調和装置のネットワークを示す模式図
【図７】本発明の実施の形態５における空気調和装置のネットワークを示す模式図
【図８】本発明の実施の形態６における空気調和装置の人体検出エリアを示す平面図
【図９】本発明の実施の形態７における空気調和装置の平面図
【図１０】本発明の実施の形態８におけるマイナスイオン発生器を搭載した気流制御装置の断面図
【図１１】本発明の実施の形態９における電気式空気清浄機を搭載した気流制御装置の断面図
【図１２】本発明の実施の形態１０における脱臭フィルターを搭載した気流制御装置の断面図
【図１３】本発明の実施の形態１１における香り発生装置を搭載した気流制御装置の断面図
【図１４】本発明の実施の形態１２における加湿器を搭載した気流制御装置の断面図
【図１５】本発明の実施の形態１３における加湿器の断面図
【図１６】本発明の実施の形態１４における電気式除菌機を搭載した気流制御装置の断面図
【図１７】従来の空気調和機の斜視図
【図１８】従来の空気調和機における暖房時の気流の流れを示す模式図
【図１９】従来の空気調和機における冷房時の気流の流れを示す模式図
【符号の説明】
【０１１２】
２１  空気調和機
２２  気流制御装置
２３  上下羽根
２４  気流
３３  吸い込み口
３４  吹き出し口
【図１】
2005121316.tif 000003
【図２】
2005121316.tif 000004
【図３】
2005121316.tif 000005
【図４】
2005121316.tif 000006
【図５】
2005121316.tif 000007
【図６】
2005121316.tif 000008
【図７】
2005121316.tif 000009
【図８】
2005121316.tif 000010
【図９】
2005121316.tif 000011
【図１０】
2005121316.tif 000012
【図１１】
2005121316.tif 000013
【図１２】
2005121316.tif 000014
【図１３】
2005121316.tif 000015
【図１４】
2005121316.tif 000016
【図１５】
2005121316.tif 000017
【図１６】
2005121316.tif 000018
【図１７】
2005121316.tif 000019
【図１８】
2005121316.tif 000020
【図１９】
2005121316.tif 000021